(57)【要約】【課題】コネクタと、このコネクタの接続対象であるケースとを有するコネクタの接続構造において、簡易な構造で、ケースとコネクタの間に侵入した水の排水性能を向上させ、シール性能の劣化を抑制することができるようにする。【解決手段】コネクタ接続構造１０は、ケース２２とコネクタ１４の間に侵入した水が開口側に流れるように、ケース２２の内面２４には傾斜面２６が形成され、この傾斜面２６には、開口側に向かって溝２８が形成されるように構成される。この溝２８に起因する毛細管現象により、排水性能が向上し、シール性能の劣化を抑制することができる。【選択図】図１
2011150895.tif 000002
【特許請求の範囲】
【請求項１】
導体を収容したハウジングと、ハウジングの外周に環状に設けられた封止部とを含むコネクタと、
コネクタの接続対象であり、内面と封止部とが隙間なく嵌合してコネクタを保持するケースと、
を有するコネクタ接続構造において、
ケースとコネクタの間に侵入した水が開口側に流れるように、ケースの内面には傾斜面が形成され、
この傾斜面には、開口側に向かって溝が形成される、
ことを特徴とするコネクタ接続構造。
【発明の詳細な説明】
【技術分野】
【０００１】
本発明は、ケーブルの末端に設けられるコネクタと、コネクタの接続対象との接続構造の改良に関する。
【背景技術】
【０００２】
ケーブルなどの末端に設けられ、このケーブルを別のケーブルまたは電気機器などの接続対象に電気的に接続するコネクタが知られている。
【０００３】
下記特許文献１には、導線が内蔵されたケーブルを収容した円筒部と、円筒部の外周に環状に設けられたＯリングとを有するコネクタが開示されている。また、下記特許文献１には、コネクタの接続対象であり、コネクタを内部に保持して、コネクタと電気的に接続する筐体が開示されている。このコネクタ接続構造においては、筐体の内面とコネクタのＯリングとが隙間なく嵌合することで、その封止領域より内側への水の侵入が防止され、シール性能が確保される。
【０００４】
下記特許文献２には、雌側コネクタと、このコネクタの接続対象であるフード部とを有するコネクタの接続構造が開示されている。また、下記特許文献２には、フード部の内面に、開口側に向かってテーパ状に広がる斜面が形成されていることが開示されている。斜面は、開口側に向かって下り勾配になっているので、フード部の内面に侵入した水を排水することができる。
【先行技術文献】
【特許文献】
【０００５】
【特許文献１】特開２００１−１１０５１３号公報
【特許文献２】特開平１１−１６２５５３号公報
【発明の概要】
【発明が解決しようとする課題】
【０００６】
水に濡れる可能性がある環境下においては、上記特許文献１に記載されるようなシール機能を有するコネクタが使用される。しかしながら、水が海水などの塩水である場合、塩水の乾燥で析出された塩により、Ｏリングなどの封止部が劣化してしまい、シール性能が劣化してしまうという問題がある。
【０００７】
本発明の目的は、簡易な構造で、ケースとコネクタの間に侵入した水の排水性能を向上させて、シール性能の劣化を抑制することができるコネクタ接続構造を提供することにある。
【課題を解決するための手段】
【０００８】
本発明は、導体を収容したハウジングと、ハウジングの外周に環状に設けられた封止部とを含むコネクタと、コネクタの接続対象であり、内面と封止部とが隙間なく嵌合してコネクタを保持するケースと、を有するコネクタ接続構造において、ケースとコネクタの間に侵入した水が開口側に流れるように、ケースの内面には傾斜面が形成され、この傾斜面には、開口側に向かって溝が形成されることを特徴とする。
【発明の効果】
【０００９】
本発明のコネクタ接続構造によれば、簡易な構造で、ケースとコネクタの間に侵入した水の排水性能を向上させて、シール性能の劣化を抑制することができる。
【図面の簡単な説明】
【００１０】
【図１】本実施形態に係るコネクタ接続構造の構成を示す図である。
【図２】図１のＸ部を示す斜視図である。
【発明を実施するための形態】
【００１１】
以下、本発明に係るコネクタ接続構造の実施形態について、図を用いて説明する。本実施形態においては、電気機器を接続対象とするコネクタを挙げ、このコネクタの接続構造について説明する。なお、電気機器を接続対象とするコネクタに限らず、ケーブル同士を接続するコネクタにも適用することができる。
【００１２】
図１は、本実施形態に係るコネクタ接続構造１０の構成を示す図であり、図２は、図１のＸ部を示す斜視図である。図１においては、ケーブル１２の一方の末端に設けられたコネクタ１４の構成が示されているが、他方の末端の構成も同様とすることができる。
【００１３】
コネクタ１４は、導体（図示せず）を収容したハウジング１６と、ハウジング１６の外周に環状に設けられた封止部１８とを有する。一方、コネクタ１４の接続対象である電気機器２０は、この電気機器２０の内部側（図１の符号Ａ側）に挿入されたコネクタ１４を保持するケース２２を有する。コネクタ１４とケース２２とが接続されるとき、ケース２２の内面２４と封止部１８とが隙間なく嵌合するので、コネクタ接続構造１０のシール性能が確保される。
【００１４】
本発明におけるコネクタ接続構造１０においては、コネクタ１４とケース２２の間に侵入した水がケース２２の開口側（図１の符号Ｂ側）に流れるように、ケース２２の内面２４に傾斜面２６が形成され、この傾斜面２６には開口側に向かって溝２８が形成されることを特徴とする。傾斜面２６と溝２８は、開口側に向かって下り勾配になるように形成される。溝２８に起因する毛細管現象により、排水性能が向上する。すなわち、開口側から封止部１８まで水が浸入してきたとしても、その水は溝２８を伝って積極的に開口側に流され外部に排水される。よって、塩水に濡れる可能性がある環境下においてコネクタ構造１０が使用される場合であっても、封止部１８付近で塩が析出されにくくなるので、封止部１８の劣化が抑制され、結果としてシール性能の劣化が抑制される。
【００１５】
コネクタ接続構造１０の具体的な構成について説明する。コネクタ１４は、導体（図示せず）を被覆するケーブル１２の末端に設けられる。コネクタ１４は、導体の端部と接合する端子３０を有する。端子３０は、ハウジング１６より内部側に突出して設けられる。端子３０と電気機器２０の端子（図示せず）とを、例えばボルトで固定することにより、コネクタ１４を介してケーブル１２と電気機器２０との電気的な接続が達成される。
【００１６】
また、コネクタ１４は、ハウジング１６に接続する首部３２と、首部３２に接続する基部３４とを有する。ケーブル１２に、これの末端から、ハウジング１６、首部３２、そして基部３４の順に設けられる。これらの部材１６，３２，３４は、絶縁性を有する材質であり、例えば樹脂製である。これらの部材１６，３２，３４は、金型に絶縁性の樹脂を加圧して射出、充填する加圧法、いわゆる射出成形により成形される。
【００１７】
ハウジング１６は、図１に示されるように、コネクタ接続時において、ケース２２の端部２２ａより内部側に収まるように形成される。端部２２ａから侵入する水がハウジング１６の外面に伝わるのを防止するためである。
【００１８】
また、ハウジング１６の外面には、コネクタ１４とケース２２の間に侵入した水が開口側に流れるように、傾斜面３６が形成され、この傾斜面３６には開口側に向かって溝３８が形成される。具体的には、傾斜面３６と溝３８は、開口側に向かって下り勾配になるように形成される。
【００１９】
傾斜面３６と溝３８について、図２を用いて説明する。傾斜面３６は封止部１８からハウジング１６の端部、すなわち首部３２側に向けて徐々に下るように形成されている。また、傾斜面３６には、所定の間隔をあけて溝３８が形成されており、この溝も、傾斜面３６と同様、傾斜面３６は封止部１８から首部３２に向けて徐々に下るように形成されている。この構成により、ハウジング１６とケース２２との間に浸入した水を、上述のように毛細管現象を利用して溝３８から積極的に排水することができる。なお、ケース２２の内面２４に形成される傾斜面２６と溝２８の具体的な構成も同様である。
【００２０】
首部３２は、図１に示されるように、断面形状においてハウジング１６より窪んで形成される。この構成により、端部２２ａから侵入する水がハウジング１６の外面に伝わることを防止する。また、首部３２の上面は、ハウジング１６側から基部３４側に向けて徐々に下がるように形成される。この構成により、ハウジング１６の溝３８から流れてきた水を外部へ積極的に排水することができる。
【００２１】
基部３４は、外周に突出するフランジ部４０を有する。さらに、基部３４は、これの下部から突出するガイド部４２を有する。ガイド部４２は、これと端部２２ａとにより流路を形成し、この流路から、コネクタ１４とケース２２の間に侵入した水を外部にガイドする。
【００２２】
本実施形態におけるコネクタ接続構造１０によれば、簡易な構造により、この構造１０内に浸入した水が傾斜面２６，３６や溝２８，３８を伝って効果的に排水される。よって、コネクタ接続構造１０が塩水に濡れた場合であっても、その排水性能の向上により、構造１０内における塩水の残留が防止されるので、塩水の乾燥で塩が析出されにくくなる。その結果、封止部の劣化、すなわちシール性能の劣化を抑制することができる。
【符号の説明】
【００２３】
１０  コネクタ接続構造、１２  ケーブル、１４  コネクタ、１６  ハウジング、１８  封止部、２２  ケース、２４  内面、２６，３６  傾斜面、２８，３８  溝。
【図１】
2011150895.tif 000003
【図２】
2011150895.tif 000004